(57)【要約】【課題】物品形状が多種多様に及ぶばかりか収容状態や整理状態までが多種多様に変化しても対象物品へのＩＣタグの着脱ばかりか付け替えも容易に行えるうえ装着対象物を並べて置けばその位置まで含めて自動管理することができるようなＩＣタグ及びタグ検知システムを実現する。【解決手段】互いに非接触で通信しうるＩＣタグ１０とタグ検知装置３０とを備えたタグ検知システムにおいて、ＩＣタグ１０の装着手段には、弾性部材の輪ゴム１３を採用し、タグ検知装置３０の棚板３１には、複数の通信用アンテナ３２を列設する。これにより、薬品箱２１や薬袋２２でも容易にＩＣタグ１０を付けて整理・管理することができる。【選択図】        図１
2005157694.tif 000002
【特許請求の範囲】
【請求項１】
互いに非接触で通信しうるＩＣタグとタグ検知装置とを備えたタグ検知システムにおいて、前記ＩＣタグが、弾性部材を含んだ装着手段を具備したものであり、前記タグ検知装置が、棚板等の横長の固定部材とこれに列設された複数の通信用アンテナとを具備したものであることを特徴とするタグ検知システム。
【請求項２】
互いに非接触で通信しうるＩＣタグとタグ検知装置とを備えたタグ検知システムにおいて、前記タグ検知装置が、長押状部材等の横長の固定部材とこれに列設された複数の通信用アンテナとを具備したものであり、前記ＩＣタグが、弾性部材を含んだ装着手段と非弾性体からなる係止手段とを具備したものであり、前記係止手段が前記ＩＣタグを前記固定部材に係止させるものであることを特徴とするタグ検知システム。
【請求項３】
非接触で通信しうるＩＣタグにおいて、弾性部材を含んだ装着手段と、非弾性体からなる係止手段とを具備したことを特徴とするＩＣタグ。
【請求項４】
対向部材と弾性部材とを有し前記対向部材の一端側は開き他端側は閉じるよう前記弾性部材にて付勢しているクリップと、非接触で通信する通信手段とを備えたＩＣタグであって、前記対向部材の前記一端側に非弾性体からなる係止手段を設けたことを特徴とするＩＣタグ。
【請求項５】
非接触で通信しうるＩＣタグに、輪ゴムを装備したことを特徴とするＩＣタグ。
【発明の詳細な説明】
【技術分野】
【０００１】
この発明は、タグ検知装置にてＩＣタグからデータを非接触で読み出したり読み書きすることができるＩＣタグ及びタグ検知システムに関し、詳しくは、タグ装着物を並べて置いて管理するのに好適なＩＣタグ及びタグ検知システムに関する。
【背景技術】
【０００２】
非接触方式でデータの読み出し及び書き込みが行える非接触方式ＩＣチップをステイプルや，ファイル金具，クリップなどの綴じ具に搭載したものが提案されている（例えば特許文献１参照）。このような非接触方式ＩＣチップ付き綴じ具を使用することにより、ＩＣチップの添付場所の制限がなくなるとともに、綴じ具で綴じるだけで、被装着体に添付することができ、作業の手間がかからない、とされている。
また、アパレル製品の流通を管理するために、ハンガーのフック部に嵌着させる断面Ｃ字状のクリップを非接触ＩＣタグ主部に取り付けたものも知られている（例えば特許文献２参照）。これは、服を吊り下げたハンガーに対して着脱自在に取り付けられる。
【０００３】
【特許文献１】特開２００３−７６９６１号公報
【特許文献２】特開２００２−１４０６６９号公報
【発明の開示】
【発明が解決しようとする課題】
【０００４】
これらのＩＣタグは、非接触で通信しうるＩＣタグについて、装着部分を工夫したことにより、タグの装着作業が容易になっている。
しかしながら、このような従来のＩＣタグは、管理対象物を綴じた文書や服のハンガーに限ることで装着の利便性を獲得している。このため、事務所や専門店などのように取扱物品の形態が似通っている場合は、上述のＩＣタグでも良いが、薬局や病院のように多種多様の医薬品等を取り扱うような場合には、従来のＩＣタグでは十分といえない。
【０００５】
具体的には、物品を並べて整理や管理するにしても、同じ物が、或るときは吊下げ状態で横一列に並べて整理され、別のときには籠や盆などの搬器に収容して棚上に並べられたりする。また、異なる物を混在して整理することもあり、その場合、種々の物が、箱や缶などの固定形状の容器に入れて容器単位で並べられ、あるいは袋や結束紐などで不定形状の包みに纏められて包み単位で並べられたりする。しかも、この場合にも、棚上での載置状態から長押状部材での吊下状態へ、又は逆に吊下状態から載置状態へ、同じ物が整理状態を変えることがある。
【０００６】
そこで、物品形状が多種多様に及ぶばかりか収容状態や整理状態までが多種多様に変化しても対象物品へのＩＣタグの着脱ばかりか付け替えも容易に行えるうえ装着対象物を並べて置けばその位置まで含めて自動管理することができるようなＩＣタグ及びタグ検知システムを実現することが課題となる。
【課題を解決するための手段】
【０００７】
本発明のタグ検知システムは（解決手段１）、このような課題を解決するために創案されたものであり（当初請求項１）、互いに非接触で通信しうるＩＣタグとタグ検知装置とを備えたタグ検知システムにおいて、前記ＩＣタグが、弾性部材を含んだ装着手段を具備したものであり、前記タグ検知装置が、棚板等の横長の固定部材とこれに列設された複数の通信用アンテナとを具備したものであることを特徴とする。
【０００８】
また、本発明のＩＣタグ及びタグ検知システムは（解決手段２）、上記解決手段１のタグ検知システムを限定したもの（当初請求項２）及びそれからＩＣタグ部分を抽出したもの（当初請求項３）であり、具体的には、互いに非接触で通信しうるＩＣタグとタグ検知装置とを備えたタグ検知システムにおいて、前記タグ検知装置が、長押状部材等の横長の固定部材とこれに列設された複数の通信用アンテナとを具備したものであり、前記ＩＣタグが、弾性部材を含んだ装着手段と非弾性体からなる係止手段とを具備したものであり、前記係止手段が前記ＩＣタグを前記固定部材に係止させるものであることを特徴とする。
【０００９】
さらに、本発明のＩＣタグは（解決手段３）、上記解決手段２のＩＣタグについて装着手段を特定のクリップに限定するとともにその特定部位に係止手段を設けたものであり、具体的には（当初請求項４）、対向部材と弾性部材とを有し前記対向部材の一端側は開き他端側は閉じるよう前記弾性部材にて付勢しているクリップと、非接触で通信する通信手段とを備えたＩＣタグであって、前記対向部材の前記一端側に非弾性体からなる係止手段を設けたことを特徴とする。
【００１０】
また、本発明のＩＣタグは（解決手段４）、上記解決手段１のＩＣタグについて装着手段を輪ゴムに限定したものであり、具体的には（当初請求項５）、非接触で通信しうるＩＣタグに、輪ゴムを装備したことを特徴とする。
【発明の効果】
【００１１】
このような本発明のタグ検知システムにあっては（解決手段１）、ＩＣタグの装着手段に弾性部材を含ませたので、その弾撥力を利用することにより、ＩＣタグを種々の物に着脱するのが容易になる。そのため、管理対象物品そのものに付けたり、管理対象物品の搬器等に付けたり、さらには付け替えるのも、簡単に行える。しかも、そのようなＩＣタグを非接触通信にて認識・識別するタグ検知装置に関しては、複数の通信用アンテナを横長の固定部材に列設したので、その固定部材にタグ装着対象物品を並べて置けば、ＩＣタグが記憶保持する識別データ等の管理情報が得られるのはもちろん、各アンテナの通信状況に基づいて固定部材におけるＩＣタグの位置ひいてはタグ装着対象物品の位置まで判明する。したがって、この発明によれば、物品形状が多種多様に及ぶばかりか収容状態や整理状態までが多種多様に変化しても対象物品へのＩＣタグの着脱ばかりか付け替えも容易に行えるうえ装着対象物を並べて置けばその位置まで含めて自動管理することができるタグ検知システムを実現することができる。
【００１２】
また、本発明のＩＣタグ及びタグ検知システムにあっては（解決手段２）、上記解決手段１の作用効果を奏することに加えて、ＩＣタグに特定の係止手段も持たせたことにより、管理対象物品にＩＣタグを装着して、そのＩＣタグを固定部材に係止させれば、ＩＣタグがタグ検知装置の通信可能範囲に入るとともに管理対象物品が横一列に整理される。
これにより、ＩＣタグが、タグとしての機能を維持しつつ、管理対象物品を並べておくときの用具を兼ねることとなり、利便性が向上する。
【００１３】
さらに、本発明のＩＣタグにあっては（解決手段３）、上記解決手段２の作用効果を奏することに加えて、装着手段を特定のクリップに限定したことにより、クリップにおける対向部材の一端側を摘んで閉じれば対向部材の他端側が開き、対向部材の一端側を離せば対向部材の他端側が閉じるので、装着対象物への着脱を簡単に行うことができる。しかも、クリップの特定部位に係止手段を設けたことにより、具体的には対向部材の一端側に非弾性体からなる係止手段を設けたことにより、クリップを固定部材に係止させると、ＩＣタグがタグ検知装置の通信可能範囲に入るとともに管理対象物品が吊下げられた状態で横一列に整理される。これにより、ＩＣタグが、タグとしての機能を維持しつつ、管理対象物品を並べて吊下げておくときの吊持具を兼ねることとなり、利便性が一層向上する。
【００１４】
また、本発明のＩＣタグにあっては（解決手段４）、ＩＣタグの装着手段を輪ゴムにしたことから、高い変形能を低い原価で獲得することができ、そのため、装着対象物が固定形状であっても不定形状であっても容易に装着しうるＩＣタグを安価に実現することができる。
【発明を実施するための最良の形態】
【００１５】
このような本発明のＩＣタグ及びタグ検知システムについて、これを実施するための具体的な形態を、以下の実施例１〜３により説明する。
図１に示した実施例１は、上述した解決手段１，４（出願当初の請求項１，５）を具現化したものであり、図２に示した実施例２は、上述した解決手段１〜３（出願当初の請求項１〜４）を具現化したものであり、図３に示した実施例３は、その変形例である。
なお、それらの図示に際しては、簡明化等のため、アンテナ以外の通信回路や，信号処理のための電子回路，データ処理のためのプログラムなどは図示を割愛し、発明の説明に必要なものや関連するものを中心に図示した。
【実施例１】
【００１６】
本発明のＩＣタグ及びタグ検知システムの実施例１について、その具体的な構成を、図面を引用して説明する。図１（ａ）〜（ｃ）は、ＩＣタグの構造を示し、（ａ）がＩＣタグの斜視図、（ｂ）がその縦断側面図、（ｃ）がタグ本体の縦断正面図である。また、図１（ｆ），（ｇ）は、タグ検知装置の構造を示し、（ｆ）が全体の斜視図、（ｇ）がアンテナを搭載した棚板の平面図である。
【００１７】
このタグ検知システムは（図１参照）、多数個のＩＣタグ１０と一台のタグ検知装置３０とを具えたものであり、タグ検知装置３０は、通信可能範囲に入った任意のＩＣタグ１０と、互いに非接触で通信しうるようになっている。その通信方式等の具体化は公知の手法で足りるので（例えば特許文献２の図３等を参照）、細部構造の説明は割愛するが、管理に役立つ識別情報などのデータを記憶保持するとともにそのデータに外部から非接触通信でアクセスするのを可能とするため、ＩＣタグ１０には、通信手段とメモリとを集積したＩＣチップ１２が内蔵され、そのメモリに非接触通信でアクセスしてデータを読み出す又は読み書きするために、タグ検知装置３０には、通信用コイルアンテナ３２と、図示しない通信回路やデータ管理プログラムをインストールしたマイクロプロセッサ等のデータ処理装置とが、組み込まれている。
【００１８】
この例のＩＣタグ１０は（図１（ａ）〜（ｃ）参照）、名刺大で薄い長方形状のタグ本体１１にＩＣチップ１２を埋め込んだ付け札タイプのものであり、弾性部材からなる装着手段として輪ゴム１３も具備している。
輪ゴム１３は、伸縮性に富むので大抵は市販の汎用品で足りるが、使用環境や装着対象物品のサイズ等によっては、適切な材質やサイズものを選定するか製造する。輪ゴム１３の取り付けや付け替えが容易に行えるよう、タグ本体１１の両端には切込１１ｂが形成され、その切込１１ｂの先端には輪ゴム１３の太さに対応した小孔も形成されている。
【００１９】
タグ本体１１は、輪ゴム１３を取り付けるときに切込１１ｂを一時的に少し広げることができるように、さらには、誤って落としたとしても割れて壊れたりしないよう、例えば塩化ビニール等の丈夫な樹脂から作られ、文字や模様の印刷も可能なものとなっている。  このタグ本体１１には、製造時等に他のタグ本体１１と纏めたり、輪ゴム１３を取り付けてＩＣタグ１０になった後でも非装着時に他のＩＣタグ１０と纏めておくために、紐やピン等を通せる小穴１１ａも形成されている。小穴１１ａは、装着後でも、装着対象物品が軽量であれば、止めピン等での係止に利用することが可能なものでもある。
【００２０】
この例のタグ検知装置３０は（図１（ｆ），（ｇ）参照）、棚板３１（横長の固定部材）を多段（図では四段）に設けた薬品棚タイプのものであり、それぞれの棚板３１には、複数（図では九個）のコイルアンテナ３２が棚板長手方向へ一列に等ピッチで並んで設けられている。コイルアンテナ３２は、棚板３１の上に物を載せたときに邪魔をしたり壊れたりしないよう、棚板３１の中に納められている。あるいは下面に装着されている。
【００２１】
また、タグ検知装置３０のデータ処理部や通信部は、多数設置されたコイルアンテナ３２それぞれの位置情報を初期設定等にて保持するとともに、どのコイルアンテナ３２がＩＣタグ１０と通信したかを例えば公知のポーリング方式や，周波数弁別，符号の使い分け等で認識することで、通信可能なＩＣタグ１０について棚板３１上の概略位置と記憶データとを得るようになっている。
【００２２】
この実施例１のＩＣタグ及びタグ検知システムについて、その使用態様及び動作を、図面を引用して説明する。図１（ｄ），（ｅ）は、ＩＣタグの装着状態を示し、（ｄ）が箱物の斜視図、（ｅ）が袋物の斜視図である。また、図１（ｈ）は、タグ検知システムの使用状況を示し、棚部の斜視図である。
【００２３】
管理対象物品が薬品箱２１に納められたままの薬剤であれ（図１（ｄ）参照）、処方箋等に応じて調剤や払出されてから薬袋２２に袋詰めされたものであれ（図１（ｅ）参照）、薬剤を納めた薬品箱２１や薬袋２２が装着対象物品となるので、輪ゴム１３を引っ張って伸ばし、その輪の中に薬品箱２１や薬袋２２を入れてから、輪ゴム１３を放して縮めさせれば、簡単に、ＩＣタグ１０を装着することができる。なお、各ＩＣタグ１０には、タグ検知装置３０か別のデータライタ等を利用して、予め固定的に一連番号などの識別情報を書き込んでおくか、装着時に一意の識別情報を生成して書き込む。
【００２４】
ＩＣタグ１０を付けた薬品箱２１や薬袋２２は、箱から出して調剤に供するまで或いは薬袋ごと患者に渡したり施用場所へ運んだりするまで、棚板３１に載せておく。その際、多数の薬品箱２１や薬袋２２を棚板３１上で横一列に並べれば、薬品箱２１や薬袋２２は、整理した状態で薬品棚に収納される。そうすると、そのような状態では、棚板３１上の薬品箱２１や薬袋２２に付けられたＩＣタグ１０が、棚板３１に列設されているコイルアンテナ３２のうち一つ又は二つの通信可能範囲に入るので、そのＩＣタグ１０のデータがタグ検知装置３０によって読みとられる。
【００２５】
そして、その通信を行ったコイルアンテナ３２の位置から、棚板３１におけるＩＣタグ１０の位置が求められる。ＩＣタグ１０の位置は、装着先の薬品箱２１や薬袋２２の位置に概ね合致するので、薬品箱２１や薬袋２２の収納位置の代わりに用いることができる。また、通信を行えば、ＩＣタグ１０のメモリに記憶されているデータもタグ検知装置３０に読み出され、そのデータからタグ検知装置３０によって収納薬剤が識別される。
また、棚板３１上から薬品箱２１や薬袋２２が取り出された場合にも、そのことが通信の絶たれたことでタグ検知装置３０に検知される。
【００２６】
こうして、管理に必要な識別情報等のデータと収納位置の情報とがタグ検知装置３０に得られるので、ＩＣタグ１０を装着した薬剤については、箱詰めや袋詰めの状態であっても、棚に並べて置くことで容易に整理収納することができ、さらに、その収納作業や取出作業に随伴して自動的に管理することができる。
【実施例２】
【００２７】
本発明のＩＣタグ及びタグ検知システムの実施例２について、その具体的な構成を、図面を引用して説明する。図２（ａ）〜（ｃ）は、ＩＣタグの構造を示し、（ａ）が自由状態の斜視図、（ｂ）が自由状態の側面図、（ｃ）が装着のため開操作を行ったところの側面図である。また、図２（ｄ）〜（ｆ）は、タグ検知装置の構造を示し、（ｄ）がアンテナを搭載した背板の斜視図、（ｅ）が吊下ユニットの斜視図、（ｆ）が棚ユニットの斜視図である。
【００２８】
このＩタグ検知システムが上述した実施例１のものと相違するのは、ＩＣタグ１０がクリップ型のＩＣタグ４０になったことと、タグ検知装置３０が吊下も可能なタグ検知装置５０になったことである。
ＩＣタグ４０にＩＣチップ１２が内蔵されていることと、タグ検知装置５０の固定部材である背板５１にコイルアンテナ３２が列設されていることは、上例から引き継がれており、同様にして非接触通信を行うようになっている。
【００２９】
この例のＩＣタグ４０は（図２（ａ）〜（ｃ）参照）、タグ本体が洗濯バサミに似たクリップになっており、具体的には、硬質プラスチック等の非弾性体からなる一対の対向部材４１，４２と、弾性部材として付勢力を出すスプリング４３と、金属ピン等からなる支軸４４とを具備している。対向部材４１，４２は、支軸４４にて中央部を連結されていて、何れの対向部材４１，４２もシーソーのような揺動動作が可能な状態になっている。
【００３０】
また、支軸４４にはスプリング４３が遊嵌されており、撓められたスプリング４３の両端がそれぞれ対向部材４１，４２を内側から外向きに押すので、自由状態では（図２（ｂ）参照）、対向部材４１，４２の一端部４１ａ，４２ａは開き、対向部材４１，４２の他端部４１ｂ，４２ｂは閉じるようになっている。このようなクリップは、一端部４１ａ，４２ａを手で摘んで狭める操作を行うと（図２（ｃ）参照）、他端部４１ｂ，４２ｂが開くようになっている。
【００３１】
しかも、そのクリップは、手を放して、スプリング４３の付勢力で一端部４１ａ，４２ａを開かせると、他端部４１ｂ，４２ｂが閉じるので、このようなクリップに化体して具現化されたＩＣタグ４０は、装着対象物品２０を他端部４１ｂ，４２ｂに挟み込む態様で容易に、装着対象物品２０に着脱できるものとなっている。さらに、少なくとも一方の対向部材４１の一端部４１ａには、後述する引掛棒５２を遊挿可能な小穴４１ｃが貫通形成されており、これらを係合させることで、後述する引掛棒５２にＩＣタグ４０を係止させることができるようにもなっている。
【００３２】
一方、タグ検知装置５０は（図２（ｄ）〜（ｆ）参照）、背板５１を長押のように設置して使用するものであり（図２（ｄ）参照）、そのような背板５１を高いところに装備した吊下ユニット（図２（ｅ）参照）と、背板５１に棚板５３を組み合わせた棚ユニット（図２（ｆ）参照）とを備えている。両ユニットのコイルアンテナ３２は何れも図示しない共用のデータ処理装置に接続されている。
【００３３】
吊下ユニットは（図２（ｅ）参照）、カテーテルを納めた帯状袋２３のような細長いものを吊り下げて並べるためのものであり、そのため、背板５１の両端が長い脚体で高位置に支持され、その背板５１の前面側に多数の引掛棒５２が植設されている。引掛棒５２は、ＩＣタグ４０の小穴４１ｃに遊挿可能な細い金属棒等からなり、係止したＩＣタグ４０の抜け落ち防止のため引掛棒５２の先端は少し上向きに曲がっている。
【００３４】
棚ユニットは（図２（ｆ）参照）、図示の例では背板５１の手前だけに棚板５３を設けたが、背板５１の後背側にも棚板５３を設けても良い。何れにしても、棚板５３は籠２４を並べて乗せおくことができれば足りる。籠２４は、縁がＩＣタグ４０の他端部４１ｂ，４２ｂで挟めるよう適度に薄くなっていれば、角張ったものでも丸みを帯びたものでも良い。帯状袋２３を丸めたものや，その他の医薬品，貼付ラベル等の付属品，さらには処方箋や調剤指示箋などの帳票類のうち適宜なものを収容できれば、浅くても深くても良く、棚板５３に乗れば、大きくても小さくても良い。
【００３５】
この実施例２のタグ検知システムについて、その使用態様及び動作を、図面を引用して説明する。図２（ｃ）は、ＩＣタグ４０を装着のため開いているところの側面図であり、図２（ｅ）は、管理対象物品を納めた帯状袋２３を吊下ユニットの背板５１に並べたところの斜視図であり、同図（ｆ）は、管理対象物品を収容した籠２４を棚ユニットの棚板５３上に並べたところの斜視図である。
【００３６】
カテーテルのような細長い医療材料を個々に管理するには、それを納めた帯状袋２３の一端をＩＣタグ４０の他端部４１ｂ，４２ｂで挟んでＩＣタグ４０を帯状袋２３に装着してから、そのＩＣタグ４０の小穴４１ｃに引掛棒５２を通してＩＣタグ４０と共に帯状袋２３を吊り下げる。そうすると、この場合も、引掛棒５２に係止させられたＩＣタグ４０が、吊下ユニットの背板５１に列設されているコイルアンテナ３２のうち一つ又は二つの通信可能範囲に入るので、そのＩＣタグ４０のデータがタグ検知装置５０によって読みとられる。
【００３７】
そして、やはり吊下ユニットの背板５１におけるＩＣタグ４０ひいては帯状袋２３の位置およびデータが得られ、カテーテルがタグ検知装置５０の管理下に入る。
それから、カテーテルを手術等に使用するため帯状袋２３及びＩＣタグ４０が引掛棒５２から外されると、そのことが通信の途絶でタグ検知装置５０に検知される。
さらに、そのカテーテルを単独で又は他の医薬品等と一緒に籠２４に収容して、直ぐに使用できるようにし、その状態で手術等に備えるために、籠２４を棚ユニットの棚板５３に一時載せおくとき、ＩＣタグ４０を帯状袋２３から外して籠２４に付け替えておく。
【００３８】
そうすると、籠２４に付けられたＩＣタグ４０が、棚ユニットの背板５１に列設されているコイルアンテナ３２のうち一つ又は二つの通信可能範囲に入って、そのＩＣタグ４０のデータがタグ検知装置５０によって読みとられる。
そして、やはり棚ユニットの背板５１におけるＩＣタグ４０ひいては籠２４の位置およびデータが得られ、再びカテーテルがタグ検知装置５０の管理下に入る。さらに、籠２４が棚板５３から持ち去られたときにも、そのことが通信の絶たれたことでタグ検知装置５０に検知される。
【００３９】
こうして、このタグ検知システムにあっても、管理に必要な識別情報等のデータと収納位置の情報とが収納先のユニットを区別してタグ検知装置５０に得られるので、ＩＣタグ４０を装着した薬剤については、吊り下げ状態であっても籠に入れた状態であっても、要するに並べて置くことで容易に整理収納することができるうえ、その収納作業や取出作業に随伴して自動的に管理することができる。しかも、ユニット間での移し替えまで含めて自動管理することができる。
【実施例３】
【００４０】
図３（ａ）に側面図を示した本発明のＩＣタグが上述したＩＣタグ４０と相違するのは、係止手段が小穴４１ｃからフック６１になった点である。フック６１は、硬質プラスチック等の非弾性体からなり、鉤状に曲がった部材であり、対向部材４１の一端部４１ａに付加されている。
この場合、背板５１の上縁にフック６１を引っ掛けてＩＣタグを係止させることが可能になるので、引掛棒５２の無い背板５１でもＩＣタグを吊り下げることができる。
【００４１】
図３（ｂ）に側面図を示した本発明のＩＣタグが上述したＩＣタグ４０と相違するのは、係止手段がマグネット６２になった点である。マグネット６２は、永久磁石からなり、対向部材４１の一端部４１ａに取り付けられている。この場合も、背板５１に鉄材等を含ませておけば、やはり引掛棒５２が不要になる。
なお、これらの係止手段４１ｃ，６１，６２は併用が可能であり、その並設に際し、一端部４１ａ，４２ａに分けて設けても良く、分けないで設けても良い。
【００４２】
［その他］
上記の実施例では、管理対象の医薬品を納めた薬品箱２１，薬袋２２，帯状袋２３，籠２４にＩＣタグ１０，４０を装着したが、ＩＣタグの装着は、そのような間接的なものに限られる訳でなく、衛生面等からの制約がなければ、医薬品に対して直に装着しても良い。
また、上記の実施例で、タグ検知装置３０，５０は、一台だけ設置されていたが、複数台を設置しても良く、さらに、それらからデータを収集して統合管理するホストコンピュータを設置するのも良い。
【産業上の利用可能性】
【００４３】
本発明のＩＣタグ及びタグ検知システムの適用は、上述した医薬品の整理および管理に限られるものでなく、タグを付することが可能な有体物であって並べておける動産であれば、その整理および管理に本発明のＩＣタグ及びタグ検知システムを適用することができる。
【図面の簡単な説明】
【００４４】
【図１】本発明の実施例１について、（ａ）〜（ｃ）はＩＣタグの構造を示し、（ａ）がＩＣタグの斜視図、（ｂ）がその縦断側面図、（ｃ）がタグ本体の縦断正面図であり、（ｄ）及び（ｅ）はＩＣタグの装着状態を示し、（ｄ）が箱物の斜視図、（ｅ）が袋物の斜視図であり、（ｆ）及び（ｇ）はタグ検知装置の構造を示し、（ｆ）が全体の斜視図、（ｇ）がアンテナを搭載した棚板の平面図であり、（ｈ）はタグ検知システムの使用状況を示す棚部斜視図である。
【図２】本発明の実施例２について、（ａ）及び（ｂ）はＩＣタグの構造を示し、（ａ）が斜視図、（ｂ）が側面図であり、（ｃ）はＩＣタグの装着時操作状態を示す側面図であり、（ｄ）〜（ｆ）はタグ検知装置の構造および使用状態を示し、（ｄ）がアンテナを搭載した背板の斜視図、（ｅ）が吊下ユニットの斜視図、（ｆ）が棚ユニットの斜視図である。
【図３】本発明の実施例３について、（ａ），（ｂ）何れもＩＣタグの側面図である。
【符号の説明】
【００４５】
１０  ＩＣタグ（付け札タイプ）
１１      タグ本体（フレキシブルプレート）
１１ａ        小穴
１１ｂ        切込（輪ゴム取付手段）
１２      ＩＣチップ（データキャリア）
１３      輪ゴム（弾性部材、装着手段）
２０  装着対象物品（管理対象物品）
２１  薬品箱（容器、タグ装着対象物品、管理対象物品）
２２  薬袋（包み、タグ装着対象物品、管理対象物品）
２３  帯状袋（包み、タグ装着対象物品、管理対象物品）
２４  籠（搬器、タグ装着対象物品、管理対象物品）
３０  タグ検知装置
３１      棚板（横長の固定部材）
３２      コイルアンテナ（通信用アンテナ）
４０  ＩＣタグ（クリップ型）
４１，４２  対向部材（タグ本体）
４１ａ，４２ａ  一端部（操作部）
４１ｂ，４２ｂ  他端部（装着部）
４１ｃ          小穴（係止手段）
４３        スプリング（弾性部材）
４４        支軸
５０  タグ検知装置
５１      背板（長押状の固定部材）
５２      引掛棒
６１  フック（係止手段）
６２  マグネット（係止手段）
【図１】
2005157694.tif 000003
【図２】
2005157694.tif 000004
【図３】
2005157694.tif 000005